【手続補正書】
【提出日】平成20年3月12日(2008.3.12)
【手続補正１】
【補正対象書類名】特許請求の範囲
【補正対象項目名】全文
【補正方法】変更
【補正の内容】
【特許請求の範囲】
【請求項１】
ユーザに関する情報を記憶する記憶手段と、
情報記憶媒体に記憶されているその情報記憶媒体が用意される施設に関する情報を、前記情報記憶媒体から取得する取得手段と、
前記取得手段により取得された前記施設に関する情報と、前記記憶手段により記憶された前記ユーザに関する情報とに基づいて、前記施設に関する情報の取得元である前記情報記憶媒体が用意されている施設が、ユーザが所定のサービスを受けることができる施設であるか否かを判断する判断手段と、
前記判断手段による判断結果に基づいて、前記施設に関する情報の取得元である前記情報記憶媒体が用意されている施設が、ユーザが所定のサービスを受けることができる施設である場合、その旨を表示する表示制御手段と
を備える携帯端末と、
前記施設に関する情報を記憶する記憶手段を備える前記情報記憶媒体と
からなる表示システム。
【請求項２】
ユーザに関する情報を記憶する記憶手段と、
情報記憶媒体に記憶されているその情報記憶媒体が用意される施設に関する情報を、前記情報記憶媒体から取得する取得手段と、
前記取得手段により取得された前記施設に関する情報と、前記記憶手段により記憶された前記ユーザに関する情報とに基づいて、前記施設に関する情報の取得元である前記情報記憶媒体が用意されている施設が、ユーザが所定のサービスを受けることができる施設であるか否かを判断する判断手段と、
前記判断手段による判断結果に基づいて、前記施設に関する情報の取得元である前記情報記憶媒体が用意されている施設が、ユーザが所定のサービスを受けることができる施設である場合、その旨を表示する表示制御手段と
を備える携帯端末。
【請求項３】
前記施設に関する情報は、前記施設が提携するサービスの情報を少なくとも含み、
前記ユーザに関する情報は、ユーザが加入するサービスの情報を少なくとも含む
請求項２に記載の携帯端末。
【請求項４】
前記情報記憶媒体は、非接触ICチップである
請求項２に記載の携帯端末。
【請求項５】
ユーザに関する情報を記憶させる記憶制御ステップと、
情報記憶媒体に記憶されているその情報記憶媒体が用意される施設に関する情報を、前記情報記憶媒体から取得する取得ステップと、
前記取得ステップの処理により取得された前記施設に関する情報と、前記記憶制御ステップの処理により記憶された前記ユーザに関する情報とに基づいて、前記施設に関する情報の取得元である前記情報記憶媒体が用意されている施設が、ユーザが所定のサービスを受けることができる施設であるか否かを判断する判断ステップと、
前記判断ステップによる判断結果に基づいて、前記施設に関する情報の取得元である前記情報記憶媒体が用意されている施設が、ユーザが所定のサービスを受けることができる施設である場合、その旨を表示する表示制御ステップと
を含む情報処理方法。
【請求項６】
ユーザに関する情報を記憶させる記憶制御ステップと、
情報記憶媒体に記憶されているその情報記憶媒体が用意される施設に関する情報を、前記情報記憶媒体から取得する取得ステップと、
前記取得ステップの処理により取得された前記施設に関する情報と、前記記憶制御ステップの処理により記憶された前記ユーザに関する情報とに基づいて、前記施設に関する情報の取得元である前記情報記憶媒体が用意されている施設が、ユーザが所定のサービスを受けることができる施設であるか否かを判断する判断ステップと、
前記判断ステップによる判断結果に基づいて、前記施設に関する情報の取得元である前記情報記憶媒体が用意されている施設が、ユーザが所定のサービスを受けることができる施設である場合、その旨を表示する表示制御ステップと
を含む処理をコンピュータに実行させるプログラム。
【手続補正２】
【補正対象書類名】明細書
【補正対象項目名】００１０
【補正方法】変更
【補正の内容】
【００１０】
本発明は、ユーザに関する情報を記憶する記憶手段／ステップと、情報記憶媒体に記憶されているその情報記憶媒体が用意される施設に関する情報を、情報記憶媒体から取得する取得手段／ステップと、取得手段／ステップにより取得された施設に関する情報と、前記記憶手段／ステップにより記憶されたユーザに関する情報とに基づいて、施設に関する情報の取得元である情報記憶媒体が用意されている施設が、ユーザが所定のサービスを受けることができる施設であるか否かを判断する判断手段／ステップと、判断手段／ステップによる判断結果に基づいて、施設に関する情報の取得元である情報記憶媒体が用意されている施設が、ユーザが所定のサービスを受けることができる施設である場合、その旨を表示する表示制御手段／ステップとを備える。
【手続補正３】
【補正対象書類名】明細書
【補正対象項目名】００１６
【補正方法】変更
【補正の内容】
【００１６】
請求項１に記載の表示システム（例えば、図１の利用可能施設表示システム）は、ユーザに関する情報（例えば、会員情報）を記憶する記憶手段（例えば、図２の会員情報データベース１１Ａ）と、情報記憶媒体に記憶されているその情報記憶媒体が用意される施設に関する情報（例えば、提携情報）を、前記情報記憶媒体から取得する取得手段（例えば、図３の提携情報取得部６２）と、前記取得手段により取得された前記施設に関する情報と、前記記憶手段により記憶された前記ユーザに関する情報とに基づいて、前記施設に関する情報の取得元である前記情報記憶媒体が用意されている施設が、ユーザが所定のサービスを受けることができる施設であるか否かを判断する判断手段（例えば、図３の比較部６３）と、前記判断手段による判断結果に基づいて、前記施設に関する情報の取得元である前記情報記憶媒体が用意されている施設が、ユーザが所定のサービスを受けることができる施設である場合、その旨を表示する表示制御手段（例えば、図３の表示制御部６４）とを備える携帯端末（例えば、図１の携帯端末１）と、前記施設に関する情報を記憶する記憶手段（例えば、図２の提携情報データベース５２Ａ）を備える前記情報記憶媒体（例えば、図１の非接触ICチップ３１乃至３３）とからなる。
【手続補正４】
【補正対象書類名】明細書
【補正対象項目名】００１７
【補正方法】変更
【補正の内容】
【００１７】
請求項２に記載の携帯端末（例えば、図１の携帯端末１）は、ユーザに関する情報（例えば、会員情報）を記憶する記憶手段と、情報記憶媒体（例えば、図１の非接触ICチップ３１乃至３３）に記憶されているその情報記憶媒体が用意される施設に関する情報（例えば、提携情報）を、前記情報記憶媒体から取得する取得手段（例えば、図３の提携情報取得部６２）と、前記取得手段により取得された前記施設に関する情報と、前記記憶手段により記憶された前記ユーザに関する情報とに基づいて、前記施設に関する情報の取得元である前記情報記憶媒体が用意されている施設が、ユーザが所定のサービスを受けることができる施設であるか否かを判断する判断手段（例えば、図３の比較部６３）と、前記判断手段による判断結果に基づいて、前記施設に関する情報の取得元である前記情報記憶媒体が用意されている施設が、ユーザが所定のサービスを受けることができる施設である場合、その旨を表示する表示制御手段（例えば、図３の表示制御部６４）とを備える。
【手続補正５】
【補正対象書類名】明細書
【補正対象項目名】００１８
【補正方法】変更
【補正の内容】
【００１８】
請求項５に記載の情報処理方法は、ユーザに関する情報（例えば、会員情報）を記憶させる記憶制御ステップ（例えば、図４のステップＳ２）と、情報記憶媒体（例えば、図１の非接触ICチップ３１乃至３３）に記憶されているその情報記憶媒体が用意される施設に関する情報（例えば、提携情報）を、前記情報記憶媒体から取得する取得ステップ（例えば、図６のステップＳ２４）と、前記取得ステップの処理により取得された前記施設に関する情報と、前記記憶制御ステップの処理により記憶された前記ユーザに関する情報とに基づいて、前記施設に関する情報の取得元である前記情報記憶媒体が用意されている施設が、ユーザが所定のサービスを受けることができる施設であるか否かを判断する判断ステップ（例えば、図６のステップＳ２５）と、前記判断ステップによる判断結果に基づいて、前記施設に関する情報の取得元である前記情報記憶媒体が用意されている施設が、ユーザが所定のサービスを受けることができる施設である場合、その旨を表示する表示制御ステップ（例えば、図６のステップＳ２６）とを含む。